(57)【要約】  【課題】誘導加熱中に、顧客を待たせることで、販売機会を喪失することを防止する自動販売機を提供する。  【解決手段】誘導加熱装置による商品の加熱運転動作中に、庫内で冷却される冷却商品を販売できるかを判定する商品同時販売判定手段３０を備え、誘導加熱装置による加熱運転動作中に冷却商品を選択する商品選択手段を操作した場合、商品選択手段に基づいて冷却商品を搬出するために駆動する搬出手段にかかる負荷と誘導加熱にかかる加熱負荷とから商品同時販売判定手段３０にて、冷却商品が販売可能かを判定し、販売可能と判定された場合は搬出手段２３を駆動して冷却商品の搬出を可能にする。【選択図】図２
2008287391.tif 000002
【特許請求の範囲】
【請求項１】
誘導加熱装置により商品を加熱できる自動販売機であって、前記誘導加熱装置による商品の加熱運転動作中に、庫内で冷却される冷却商品を販売できるかを判定する商品同時販売判定手段を備え、前記誘導加熱装置による加熱運転動作中に前記冷却商品を選択する商品選択手段を操作した場合、前記商品選択手段に基づいて前記冷却商品を搬出するために駆動する搬出手段にかかる負荷と前記誘導加熱にかかる加熱負荷とから前記商品同時販売判定手段にて、前記冷却商品が販売可能かを判定し、販売可能と判定された場合は前記搬出手段を駆動して前記冷却商品の搬出を行うことを特徴とした自動販売機。
【請求項２】
誘導加熱装置による商品の加熱運転動作中に、庫内で冷却される冷却商品を販売できるかを表示する販売可能表示手段を備え、前記販売可能表示手段は商品同時販売判定手段の判定に基づいて点灯あるいは消灯することを特徴とする請求項１に記載の自動販売機。
【請求項３】
誘導加熱装置による商品の加熱運転動作中に、庫内で冷却される冷却商品を選択する商品選択手段を操作した場合、前記誘導加熱装置にかかる加熱負荷を下げて、商品の加熱運転動作中でも前記商品選択手段に基づいて前記冷却商品を搬出する搬出手段の駆動を可能にしたことを特徴とする請求項１または２に記載の自動販売機。
【請求項４】
文字またはグラフィックの表示を行える表示部を備え、前記表示部の表示によって商品を同時販売できることを顧客に知らしめることを特徴とした請求項１から３のいずれか一項に記載の自動販売機。
【請求項５】
冷却商品の搬出が終了したことを顧客に知らせるデータを表示部に表示させる商品搬出終了表示手段と、誘導加熱商品の搬出が終了したことを顧客に知らせるデータを前記表示部に表示させる誘導加熱商品搬出終了表示手段を備え、冷却商品あるいは誘導加熱商品の搬出が終了した場合、前記冷却商品搬出終了表示手段あるいは前記誘導加熱商品搬出終了表示手段にて搬出が終了したことを表示することを特徴とした請求項１から４のいずれか一項に記載の自動販売機。
【発明の詳細な説明】
【技術分野】
【０００１】
本発明は、誘導加熱装置を搭載した自動販売機に関するものである。
【背景技術】
【０００２】
従来、この種の自動販売機は、購入商品を商品取出し口から一旦取出して、誘導加熱装置の商品投入口に投入し誘導加熱装置により加熱した上で、再度商品取出し口に搬出している（例えば、特許文献１参照）。
【０００３】
図４は、特許文献１に記載された従来の自動販売機を示すものである。図４に示すように、自動販売機１の外扉２に機内冷蔵室の商品収納ラック（図示しない）から払い出した商品が搬出される商品取出し口３、および商品取出し口３から一旦取出した商品を投入する商品投入口４とを備え、かつ商品投入口４と商品取出し口３との間の通路途上に誘導加熱式の缶商品加熱装置５を配備し、ラックから商品取出し口３に搬出した商品を客の選択で商品取出し口３から商品投入口４へ移し替え、加熱装置５により加熱して商品取出し口３に搬出するようにするとともに、外扉２にはホット商品の仕上がり温度選択ボタン６を備え、缶商品の加熱動作と商品搬出動作とを切り離してホット、コールドの区別なしに商品を短時間で商品収納ラックから商品取出し口３に搬出できるようにし、ホット商品の仕上がり温度を利用客の好みに応じて選択できるようしている。
【特許文献１】特開２０００−１７２９３８号公報
【発明の開示】
【発明が解決しようとする課題】
【０００４】
しかしながら、従来の構成では、缶商品加熱装置５にて加熱を行う場合、所定の温度に達するまで顧客は待つ必要があり、その間は、缶商品加熱装置５にかかる負荷電圧が大きく、その他の冷却商品などを搬出する搬出手段を動作させることができず、誘導加熱を必要としない冷却商品は購入できないという課題を有していた。
【０００５】
本発明は、上記従来の課題を解決するもので、誘導加熱を行っている間でも、冷却商品を搬出できる自動販売機を提供することを目的とする。
【課題を解決するための手段】
【０００６】
上記従来の課題を解決するために、本発明の自動販売機は、誘導加熱装置による商品の加熱運転動作中に、庫内で冷却される冷却商品を販売できるかを判定する商品同時販売判定手段を備え、前記誘導加熱装置による加熱運転動作中に前記冷却商品を選択する商品選択手段を操作した場合、前記商品選択手段に基づいて前記冷却商品を搬出するために駆動する搬出手段にかかる負荷と前記誘導加熱にかかる加熱負荷とから前記商品同時販売判定手段にて、前記冷却商品が販売可能かを判定し、販売可能と判定された場合は前記搬出手段を駆動して前記冷却商品の搬出を行うものである。
【０００７】
これによって、通常商品あるいは誘導加熱商品を搬出している間も、もう一方の商品を購入することが可能となり、誘導加熱にて顧客を待たせることによる販売機会の喪失を防止することができる。
【発明の効果】
【０００８】
本発明の自動販売機は、商品を誘導加熱装置によって加熱動作中でも、加熱動作の終了を待たずに別の冷却商品の販売を行うことができる。
【発明を実施するための最良の形態】
【０００９】
請求項１に記載の発明は、誘導加熱装置により商品を加熱できる自動販売機であって、前記誘導加熱装置による商品の加熱運転動作中に、庫内で冷却される冷却商品を販売できるかを判定する商品同時販売判定手段を備え、前記誘導加熱装置による加熱運転動作中に前記冷却商品を選択する商品選択手段を操作した場合、前記商品選択手段に基づいて前記冷却商品を搬出するために駆動する搬出手段にかかる負荷と前記誘導加熱にかかる加熱負荷とから前記商品同時販売判定手段にて、前記冷却商品が販売可能かを判定し、販売可能と判定された場合は前記搬出手段を駆動して前記冷却商品の搬出を行うことにより、誘導加熱商品を搬出している間も、加熱される缶商品の容量の大きさの違いによって加熱にかかる負荷電圧が異なり、負荷電圧が小さい場合は、冷却商品の搬出時に搬出手段を動作させることが可能と判断して、冷却商品の販売を可能とし、利用者を待たせることなく販売促進を行うことができる。
【００１０】
請求項２に記載の発明は、請求項１に記載の発明に、さらに、誘導加熱装置による商品の加熱運転動作中に、庫内で冷却される冷却商品を販売できるかを表示する販売可能表示手段を備え、前記販売可能表示手段は商品同時販売判定手段の判定に基づいて点灯あるいは消灯するものであり、販売可能表示を点灯または消灯させることで、利用者に販売可能かどうかを知らせることができる。
【００１１】
請求項３に記載の発明は、請求項１または２に記載の発明に、さらに、誘導加熱装置による商品の加熱運転動作中に、庫内で冷却される冷却商品を選択する商品選択手段を操作した場合、前記誘導加熱装置にかかる加熱負荷を下げて、商品の加熱運転動作中でも前記商品選択手段に基づいて前記冷却商品を搬出する搬出手段の駆動を可能にしたものであり、冷却商品が選択されれば搬出手段の動作電圧を確保できるように、誘導加熱装置の加熱電圧を一時的に下げることで、冷却商品の販売を可能とすることができる。
【００１２】
請求項４に記載の発明は、請求項１から３のいずれか一項に記載の発明に、さらに、文字またはグラフィックの表示を行える表示部を備え、前記表示部の表示によって商品を同時販売できることを顧客に知らしめることにより、商品同時販売ができることを顧客に知らしめることができ、販売機会の喪失の防止および顧客の販売意欲を向上させることができる。
【００１３】
請求項５に記載の発明は、請求項１から４のいずれか一項に記載の発明に、さらに、冷却商品の搬出が終了したことを顧客に知らせるデータを表示部に表示させる商品搬出終了表示手段と、誘導加熱商品の搬出が終了したことを顧客に知らせるデータを前記表示部に表示させる誘導加熱商品搬出終了表示手段を備え、冷却商品あるいは誘導加熱商品の搬出が終了した場合、前記冷却商品搬出終了表示手段あるいは前記誘導加熱商品搬出終了表示手段にて搬出が終了したことを表示するものであり、商品同時販売を行った場合に、どちらの商品が商品取出口に払い出されたかを顧客に知らしめることができ、表示することによって冷たい商品、あつい商品のどちらが先に搬出されたかを利用者は予め知ることができ、意に反した商品から先に搬出されるのを防止し、利用者は安心して商品取出口に手を入れて商品を受け取ることができる。
【００１４】
（実施の形態１）
図１は、本発明の実施の形態１を示す自動販売機の正面図である。図２は、本発明の実施の形態１による自動販売機の制御装置の機能ブロック図である。図３は、同実施の形態の動作を示すフローチャートである。
【００１５】
図１において、自動販売機本体１１は、商品を収納する複数の収納庫、搬出装置、誘導加熱装置１７、冷熱装置、貨幣識別装置、選択ボタン等を備えている。自動販売機本体１１の前面開口部には外扉１２が配置されている。外扉１２の上部に商品サンプル展示室１３、その下方に商品の広告などを掲示する広告パネル室１４と金銭投入部１５が横並びに備えられ、外扉１２の下部には選択された商品を排出する商品取出口１６が備えられている。
【００１６】
そして商品取出口１６と隣り合わせに缶商品の誘導加熱装置１７が設置され商品を受け入れるように関連づけられている。そして、誘導加熱装置１７の商品搬出側は商品取出口１６と連通し、商品の誘導加熱装置１７で加熱された飲料等の流動性内容物に代表される商品は商品取出口１６から取り出せるように形成されている。
【００１７】
図２において、誘導加熱手段２１は、誘導加熱装置１７に商品が搬出された場合に誘導加熱を所定の温度まで実施する。誘導加熱商品搬出手段２２は、誘導加熱手段２１にて商品の加熱が終了した場合に誘導加熱装置１７にて商品を商品取出口１６に搬出させる。
【００１８】
通常商品搬出手段２３は、収納庫から商品を商品取出口１６に搬出させる。販売可能判定手段２４は、投入金額や釣銭状態や商品状態等などにて販売可能かを判定する。販売可能表示手段２５は、販売可能判定手段２４にて販売可能に判定された商品を販売可能表示にする。誘導加熱必要判定手段２６は、予め記憶されているデータに基づき選択された商品を誘導加熱すべきか否かを判定する。
【００１９】
商品同時販売設定手段２７は、通常商品と誘導加熱商品を同時に販売するかを設定する。商品同時販売記憶手段２８は、商品販売設定手段２７にて設定されたデータを記憶する。商品接触判定手段２９は、通常商品あるいは誘導加熱商品を搬出するともう一方の商品と接触するか否かを判定する。
【００２０】
ここで、自動販売機１１の定格電流は１５Ａと定められており、定格消費電力１５００Ｗに対して、誘導加熱装置１７は商品の加熱動作中、約１０００Ｗの電力を消費することになり、加熱中は冷却商品を冷却する圧縮機の運転は通常停止することになる。しかし、冷却運転を中止しても、適温に商品が冷却されていれば、加熱運転中でも冷却商品を販売できるようにして、販売促進を図りたい。
【００２１】
しかし、冷却商品を商品取出口１６へ搬出する搬出手段２３の駆動部となるソレノイドを動作させるには、瞬間的にも約５００Ｗ以上の電力を消費するため、冷却運転は停止できても、商品を搬出する駆動部の電力負荷が大きく動作させることができない。
【００２２】
しかし加熱する商品は商品サイズや中身容量などから加熱量、加熱時間が可変するため加熱時の消費電力も可変するので、加熱商品の負荷が小さい場合は、搬出手段２３の駆動部を駆動することが可能となり、加熱動作中でも、別の冷却商品を同時に販売することが可能となる。
【００２３】
したがって、商品接触判定手段２９は、加熱される商品が商品選択手段で選択されたときに、加熱される商品ごとに記憶された誘導加熱装置１７の消費電力値が商品同時販売記憶手段２８に記憶され、同時に冷却商品を選択したときの最大負荷電力を計算し、トータル的に自動販売機１の定格電力値以下であれば、表示部に販売可能表示を行い、冷却商品を同時に購入できるようにする。また加熱される商品の商品選択手段が選択された時、冷却商品を冷却する圧縮機（図示しない）が運転していれば、強制的に停止するものとする。
【００２４】
また、上記の場合、加熱商品の加熱負荷量によって冷却商品の販売可能かどうかを判定したが、常に加熱商品と冷却商品を同時販売できるようにしてもよい。この場合は、冷却商品が選択されれば、加熱商品の加熱負荷にかかわらず、加熱動作中の電力値を強制的に下げ、搬出手段２３の駆動部を動作可能にし、冷却商品が搬出されれば、加熱電力値を元にもどして加熱動作をさせることで、同時販売を行うことができる。
【００２５】
商品同時販売判定手段３０は、商品同時販売記憶手段２８に記憶されているデータと、商品接触判定手段２９の判定に基づき、通常商品と誘導加熱商品を同時に販売できるかを判定する。表示部３１は、文字やグラフィック等の表示を行なう。商品同時販売表示手段３２は、商品を同時販売できることを顧客に知らしめるデータを表示部３１に表示させる。通常商品搬出終了表示手段３３は、通常商品の搬出が終了したことを顧客に知らしめるデータを表示部３１に表示させる。
【００２６】
誘導加熱商品搬出終了表示手段３４は、誘導加熱商品の搬出が終了したことを顧客に知らしめるデータを表示部３１に表示させる。演算制御部３５は、商品同時販売設定手段２７にて、商品同時販売を行うか否かのデータを入力された場合、そのデータを商品同時販売記憶手段２８に記憶させる。
【００２７】
また、誘導加熱手段２１および誘導加熱商品搬出手段２２に誘導加熱商品を搬出している場合、あるいは通常商品搬出手段２３にて通常商品を搬出している場合に、商品同時判定手段３０にて商品同時販売が可能と判定された場合、販売可能判定手段２４の判定に基づき、もう一方の商品を販売可能表示手段２５にて販売可能にし、商品同時販売表示手段３２にて表示部３１に商品同時販売が可能なことを表示する。
【００２８】
また、商品同時販売が行われた場合、通常商品の搬出が終了した場合、通常商品搬出終了表示手段３３にて表示部３１に通常商品の搬出が終了したことを表示し、誘導加熱商品の搬出が終了した場合、誘導加熱商品搬出終了表示手段３４にて表示部３１に誘導加熱商品の搬出が終了したことを表示する。
【００２９】
以上のように構成された自動販売機の制御装置について、以下その動作を図２のフローチャートをもとにして説明する。
【００３０】
まず、演算制御部３５は、自動販売機に付属しているリモコンのスイッチ等の商品同時販売設定手段２７にて、商品同時販売のデータ入力があったか否かを判定する（ＳＴＥＰ１）。商品同時販売のデータ入力があった場合、そのデータを自動販売機の制御装置が内蔵しているメモリ等の商品同時販売記憶手段２８に記憶させる（ＳＴＥＰ２）。
【００３１】
自動販売機が通常商品あるいは誘導加熱商品を搬出しているか否かを判定し、搬出していない場合は処理を終了する。また、商品同時販売記憶手段２８に記憶されているデータが商品同時販売をしないというデータの場合も処理を終了する。また、商品接触判定手段２９にて、現在、搬出を行っている商品が、搬出終了近傍で、この時点でもう一方の商品を搬出した場合、両方の商品が同時に商品取出口１６に払い出されるタイミングであり、商品が接触すると判定された場合も処理を終了する。
【００３２】
処理を終了する場合、販売可能表示手段２５にて販売可能表示を解除する。それ以外は商品同時販売が可能と判定する（ＳＴＥＰ３）。商品同時販売が可能と判定された場合、誘導加熱必要判定手段２６にて、現在、搬出を行っている商品が通常商品か誘導加熱商品かを判定し、その判定と違うもう一方の商品を販売可能判定手段２４にて販売可能か否かを判定し、販売可能な場合は販売可能表示手段２５にて販売可能を表示し、また商品同時販売表示手段３２にて表示部３１に商品同時販売が可能なことを表示する（ＳＴＥＰ４）。選択ボタン押し等にて商品同時販売が開始されたか否かを判定する（ＳＴＥＰ５）。
【００３３】
商品同時販売が開始された場合、通常商品の搬出が終了したか否かを判定する（ＳＴＥＰ６）。通常商品の搬出が終了した場合、通常商品搬出終了表示手段３３にて表示部３１に通常商品の搬出が終了したことを表示する（ＳＴＥＰ７）。誘導加熱商品の搬出が終了したか否かを判定する（ＳＴＥＰ８）。
【００３４】
誘導加熱商品の搬出が終了した場合、誘導加熱商品搬出終了表示手段３４にて表示部３１に誘導加熱商品の搬出が終了したことを表示する（ＳＴＥＰ９）。両方の商品の搬出が終了したか否かを判定し、終了した場合は処理を終了する（ＳＴＥＰ１０）。
【００３５】
以上のように本実施の形態１の自動販売機の制御装置によれば、通常商品あるいは誘導加熱商品を搬出している際に、商品同時販売判定手段３０にて、もう一方の商品が販売可能と判定された場合、販売可能判定手段２４の判定に基づき、もう一方の商品を販売可能表示手段２５にて販売可能にすることにより、通常商品あるいは誘導加熱商品を搬出している間も、もう一方の商品を購入することが可能となり、誘導加熱にて顧客を待たせることによる販売機会の喪失を防止することができる。
【００３６】
また、商品同時販売記憶手段２８に記憶されているデータに基づき、商品同時販売を行うか否かを判定することにより、ロケーションや機体差によって商品同時販売が好ましくないと判断した場合でも、商品同時販売を行わないことができる。
【００３７】
また、商品接触判定手段２９にて商品が接触すると判定された場合、もう一方の商品を販売可能表示手段２５にて販売可能解除にすることにより、通常商品と誘導加熱商品が接触すると判定されるタイミングでは販売可能を解除することで、接触による商品の破裂や損壊等を防止することができる。
【００３８】
また、商品を同時販売できる場合、商品同時販売表示手段３２にて商品同時販売が可能なことを表示することにより、商品同時販売ができることを顧客に知らしめることができ、販売機会の喪失の防止および顧客の販売意欲を向上させることができる。
【００３９】
また、通常商品あるいは誘導加熱商品の搬出が終了した場合、通常商品搬出終了表示手段３３あるいは誘導加熱商品搬出終了表示手段３４にて搬出が終了したことを表示することにより、商品同時販売を行った場合に、どちらの商品が商品取出口に払い出されたかを顧客に知らしめることができ、商品の取出しを促し、商品の接触のさらなる防止、また次回販売へスムーズな移行が期待できる。
【産業上の利用可能性】
【００４０】
以上のように、本発明にかかる自動販売機は、誘導加熱装置で商品を加熱中でも、冷却商品の販売を可能とし、誘導加熱装置を搭載したあらゆる自動販売機に適用できる。
【図面の簡単な説明】
【００４１】
【図１】本発明の実施の形態１を示す自動販売機の正面図
【図２】同実施の形態の自動販売機の制御装置の機能ブロック図
【図３】同実施の形態の自動販売機の制御装置の動作を示すフローチャート
【図４】従来の自動販売機の正面図
【符号の説明】
【００４２】
１１  自動販売機本体
１２  外扉（扉）
１３  サンプル展示室
１４  広告パネル室
１５  金銭投入部
１６  商品取出口
１７  誘導加熱装置
２１  誘導加熱手段
２２  誘導加熱商品搬出手段
２３  通常商品搬出手段
２４  販売可能判定手段
２５  販売可能表示手段
２６  誘導加熱必要判定手段
２７  商品同時販売設定手段
２８  商品同時販売記憶手段
２９  商品接触判定手段
３０  商品同時販売判定手段
３１  表示部
３２  商品同時販売可能表示手段
３３  通常商品搬出終了表示手段
３４  誘導加熱商品搬出終了表示手段
３５  演算制御部
【図１】
2008287391.tif 000003
【図２】
2008287391.tif 000004
【図３】
2008287391.tif 000005
【図４】
2008287391.tif 000006